(57)【要約】      （修正有）【課題】レバーを有効的に定位でき、レバーが誤って回転してしまうのを防ぎ、ガット挟み器定位の確実性を高める。【解決手段】ストリングマシンのガット挟み器定位構造は、主に滑動座10、定位器20、制御器30及びレール体40の構成要素により成り、その内前記レール体40は、ストリングマシンのマシン台上部に嵌設、そのレール体40にはその軸方向に引導溝42を穿設、レール体40上部に設けた前記滑動座10は、引導溝42に沿って軸方向に往復スライドし、定位器20は滑動座10付近の一端箇所に設け、滑動座10付近のもう一端箇所には座管11を設け、制御器30は定位器20と座管11間に設け、ガット挟み器80底部に連接する支軸82は座管11に軸貫入されてガット挟み器80を定位している。【選択図】図３
0003123792.tif 000002
【実用新案登録請求の範囲】
【請求項１】
主に滑動座、定位器、制御器及びレール体の構成要素により成るストリングマシンのガット挟み器定位構造において、
レール体は、ストリングマシンのマシン台上部縁に設けられ、軸方向に引導溝を穿設、レール体上部に設けた滑動座は、引導溝に沿ってスライドし、定位器は滑動座付近の一端箇所に設け、滑動座付近のもう一端箇所には座管を立設することにより、ガット挟み器底端の支軸は座管に軸貫入されて座管を定位しており、制御器は、定位器と座管の間に設けられ、ガット挟み器を定位する働きをし、
制御器は、中央軸、連結座及びレバーにより構成されており、連結座は滑動座に嵌設され、中央軸と連結座は軸定位、中央軸はレバーと軸連結しており、連結座上端端面に凹設した環状の溝にはバネを内設、バネの両端はそれぞれ滑動座とレバーに連結し、バネの弾性によってレバーを元の位置に戻す働きをしており、
レバー底端には栓孔を凹設、滑動座には軸孔を穿設、その座管は軸嵌合部及び内設部を含み、内設部は軸孔に貫入、軸嵌合部底端と滑動座上部縁面とは相互に力を掛けて接触して座管を定位させており、内設部内部には定位栓及び上部に力をかけるバネを嵌挿、その上部に力をかけるバネは定位栓に力をかけた状態になっている故、定位栓は軸方向に上下運動し、座管の内設部の側面には切口溝を穿設、滑動座に凹設した栓溝は軸孔側面に繋がっており、栓溝はレバー底部箇所に延伸しており、定位栓は主に、内設部に嵌入する軸柱及び栓溝に嵌入される挿入栓により構成されており、軸柱と挿入栓は切口溝に嵌合される連結部と一体成形されており、これにより、栓孔に嵌挿される挿入栓はレバーを圧止する故、レバーが誤って回転してしまうのを有効的に防止、ガット挟み器定位の確実性を高めることを特徴とするストリングマシンのガット挟み器定位構造。
【請求項２】
請求項１記載のストリングマシンのガット挟み器定位構造において、軸孔は滑動座に穿設されており、軸孔底縁には埋込体を嵌入、上部に力をかけるバネ両端はそれぞれ埋込体及び定位栓に力をかけた状態になっている故、定位栓は軸方向に往復運動することを特徴とするストリングマシンのガット挟み器定位構造。
【請求項３】
請求項１記載のストリングマシンのガット挟み器定位構造において、軸嵌合部底端の内設部外周には環状の接触面を形成、接触面と滑動座上部縁面とは相互に力を掛けて接触して座管を定位させることを特徴とするストリングマシンのガット挟み器定位構造。
【考案の詳細な説明】
【技術分野】
【０００１】
本考案は、ストリングマシンの付属部分に関するもので、特にストリングマシンのガット挟み器定位構造を提供するものであり、ガット挟み器定位の確実性を向上させる従来品にない構成を有するものである。
【背景技術】
【０００２】
従来のストリングマシンのガット挟み器は、回転盤のレール箇所に設けたものであり、そのレールは、長い溝を穿設し、ガット挟み器はその長い溝に沿ってスライド、ラケットのガット貼り作業の需要に応じてガット挟み器位置を変更し、ガット挟み器が必要な位置までスライドさせた後はガット挟み器を定位させて、ガット貼り作業中にガット挟み器が勝手に動いて作業の進行を妨げることがないようにする。
【０００３】
従来のストリングマシンのガット挟み器定位構造は、図１に示すとおりであり、それは主に本体1、錐形体2、軸座3、レバー4、滑動体5により構成されており、その内本体1は、錐形孔101、レバー孔102及び上向きに延伸した嵌合管103を含み、錐形孔101に設けた錐形体2底部には突出体201及び制止体202を固設してストリングマシン回転盤のレール9を挟み込むものとし、また、嵌合管103はガット挟み器（未図示）を貫入して定位させる為のものであり、レバー孔102に設ける軸座3の中心には中央偏向部302を具える軸棒301を設け、中央偏向部302に対応する軸座3には切口303を穿設、軸棒301上端に設けたレバー4は軸棒301を回転ささせる為のものであり、錐形孔101とレバー孔102間には相通じる滑動溝104を設け、滑動溝104に内設した滑動体5は、レバー孔102に対応する一端に弛み防止ボルト501を設けて軸棒301の中央偏向部302を圧する働きをし、キャップ502は弛み防止ボルト501を覆う中央偏向部302との接触端面を持ち、滑動体5のもう一端は錐形体2と連接する傾斜面503を有しており錐形体2の端面を圧している。
【０００４】
本体1を定位する時、ガット挟み器を位置移動させない為には、レバー4を動かして中央偏向部302が弛み防止ボルト501に力を働かせるようにすると、滑動体5は平面移動し錐形体2に対応する傾斜面503に上向きに押す力が生まれて錐形体2底部の制止体202は上向きに移動、回転盤のレール9底部と制止作用が生じて本体1は定位する故、回転したり位置移動することがない為、ガット挟み器を定位させることができる。本体1の定位を解除したい場合は、レバー4を反対方向に動かすとレバー4内部に設けたバネ401により、レバー4は素早く反対方向に回転して初期定位箇所の元の位置に戻り、軸棒301の中央偏向部302は再び弛み防止ボルト501を圧することがない為、制止体202のレール9底部に対する制止作用が解除され、錐形体2は錐形体2自体の重量から下方に移動する故、本体1は自由に回転可能となり、レール9に沿ってスライドして位置移動させて、ガット挟み器定位を調節する。
【０００５】
従来のストリングマシンのガット挟み器定位構造は、主に軸棒301の中央偏向部302と滑動体5の相対構成によるものであり、滑動体5を動かして錐形体2に力を働かせ、制止体202をレール9に圧力によって定位させ、本体1を固定することによりガット挟み器定位の目的を達成する。
【考案の開示】
【考案が解決しようとする課題】
【０００６】
本考案の主な目的はストリングマシンのガット挟み器定位構造を提供することにあり、それは、定位栓17がレバー33に引っ掛かって止まる為、レバー33を有効的に定位でき、レバー33が誤って回転してしまうのを防ぎ、ガット挟み器80定位の確実性を高める特徴を持つストリングマシンのガット挟み器定位構造である。
【０００７】
本考案のストリングマシンのガット挟み器定位構造は、主に滑動座10、定位器20、制御器30及びレール体40の構成要素により成り、レール体40は、ストリングマシンのマシン台上部縁に設けられ、軸方向に引導溝42を穿設、レール体40上部に設けた滑動座10は、引導溝42に沿ってスライドし、定位器20は滑動座10付近の一端箇所に設け、滑動座10付近のもう一端箇所には座管11を立設することにより、ガット挟み器80底端の支軸82は座管11に軸貫入されて座管11を定位しており、制御器30は、定位器20と座管11の間に設けられ、ガット挟み器80を定位する働きをする。
【０００８】
制御器30は、中央軸31、連結座32及びレバー33により構成されており、連結座32は滑動座10に嵌設され、中央軸31と連結座32は軸定位、中央軸31はレバー33と軸連結しており、連結座32上端端面に凹設した環状の溝324にはバネ34を内設、バネ34の両端はそれぞれ滑動座10とレバー33に連結し、バネ34の弾性によってレバー33を元の位置に戻す働きをしてある。
【０００９】
レバー33底端には栓孔334を凹設、滑動座10には軸孔16を穿設、その座管11は軸嵌合部112及び内設部114を含み、内設部114は軸孔16に貫入、軸嵌合部112底端と滑動座10上部縁面とは相互に力を掛けて接触して座管11を定位させており、内設部114内部には定位栓17及び上部に力をかけるバネ18を嵌挿、その上部に力をかけるバネ18は定位栓17に力をかけた状態になっている故、定位栓17は軸方向に上下運動し、座管11の内設部114の側面には切口溝115を穿設、滑動座10に凹設した栓溝19は軸孔16側面に繋がっており、栓溝19はレバー33底部箇所に延伸しており、定位栓17は主に、内設部114に嵌入する軸柱172及び栓溝19に嵌入される挿入栓174により構成されており、軸柱172と挿入栓174は切口溝115に嵌合される連結部173と一体成形されており、これにより、栓孔334に嵌挿される挿入栓174はレバー33を圧止する故、レバー33が誤って回転してしまうのを有効的に防止、ガット挟み器80定位の確実性を高めることを特徴とする。
【課題を解決するための手段】
【００１０】
請求項１の考案は、主に滑動座、定位器、制御器及びレール体の構成要素により成るストリングマシンのガット挟み器定位構造において、
レール体は、ストリングマシンのマシン台上部縁に設けられ、軸方向に引導溝を穿設、レール体上部に設けた滑動座は、引導溝に沿ってスライドし、定位器は滑動座付近の一端箇所に設け、滑動座付近のもう一端箇所には座管を立設することにより、ガット挟み器底端の支軸は座管に軸貫入されて座管を定位しており、制御器は、定位器と座管の間に設けられ、ガット挟み器を定位する働きをし、
制御器は、中央軸、連結座及びレバーにより構成されており、連結座は滑動座に嵌設され、中央軸と連結座は軸定位、中央軸はレバーと軸連結しており、連結座上端端面に凹設した環状の溝にはバネを内設、バネの両端はそれぞれ滑動座とレバーに連結し、バネの弾性によってレバーを元の位置に戻す働きをしており、
レバー底端には栓孔を凹設、滑動座には軸孔を穿設、その座管は軸嵌合部及び内設部を含み、内設部は軸孔に貫入、軸嵌合部底端と滑動座上部縁面とは相互に力を掛けて接触して座管を定位させており、内設部内部には定位栓及び上部に力をかけるバネを嵌挿、その上部に力をかけるバネは定位栓に力をかけた状態になっている故、定位栓は軸方向に上下運動し、座管の内設部の側面には切口溝を穿設、滑動座に凹設した栓溝は軸孔側面に繋がっており、栓溝はレバー底部箇所に延伸しており、定位栓は主に、内設部に嵌入する軸柱及び栓溝に嵌入される挿入栓により構成されており、軸柱と挿入栓は切口溝に嵌合される連結部と一体成形されており、これにより、栓孔に嵌挿される挿入栓はレバーを圧止する故、レバーが誤って回転してしまうのを有効的に防止、ガット挟み器定位の確実性を高めることを特徴とするストリングマシンのガット挟み器定位構造としている。
請求項２の考案は、請求項１記載のストリングマシンのガット挟み器定位構造において、軸孔は滑動座に穿設されており、軸孔底縁には埋込体を嵌入、上部に力をかけるバネ両端はそれぞれ埋込体及び定位栓に力をかけた状態になっている故、定位栓は軸方向に往復運動することを特徴とするストリングマシンのガット挟み器定位構造としている。
請求項３の考案は、請求項１記載のストリングマシンのガット挟み器定位構造において、軸嵌合部底端の内設部外周には環状の接触面を形成、接触面と滑動座上部縁面とは相互に力を掛けて接触して座管を定位させることを特徴とするストリングマシンのガット挟み器定位構造としている。
【考案の効果】
【００１１】
本考案のストリングマシンのガット挟み器定位構造は、定位栓がレバーに引っ掛かって止まる為、レバーを有効的に定位でき、レバーが誤って回転してしまうのを防ぎ、ガット挟み器定位の確実性を高めることを特徴とする。
【考案を実施するための最良の形態】
【００１２】
図２及び図３に示すとおり、本考案のストリングマシンのガット挟み器定位構造は、主に滑動座10、定位器20、制御器30及びレール体40の構成要素により成り、その内前記レール体40は、ストリングマシンのマシン台上部に嵌設、そのレール体40にはその軸方向に引導溝42を穿設、レール体40上部に設けた前記滑動座10は、引導溝42に沿って軸方向に往復スライドし、定位器20は滑動座10付近の一端箇所に設け、滑動座10付近のもう一端箇所には座管11を設け、制御器30は定位器20と座管11間に設け、ガット挟み器80底部に連接する支軸82は座管11に軸貫入されてガット挟み器80を定位している。
【００１３】
図４に示すとおり、定位器20は主にキャップ体21及び制止体22により構成されており、そのキャップ体21の外径は上端から底端に向かって小さくなって、キャップ体21の外周面に錐形状の支持面212を形成しており、そのキャップ体21の底端には矩形嵌合体214を突設、滑動座10には錐形状の嵌合孔12を穿設、キャップ体21はその嵌合孔12に軸嵌合、嵌合体214は引導溝42に軸嵌合、制止体22上端に突設した矩形の連結体222は引導溝42に軸嵌合され、キャップ体21と制止体22は複数の調節ボルト23により螺着される故、キャップ体21に動かされる制止体22はレール体40に対して制止作用を生み、滑動座10を定位する働きをする。
【００１４】
制御器30は、中央軸31、連結座32及びレバー33により構成されており、その滑動座10の座管11と嵌合孔12間に軸方向にＴ形を呈する軸孔13を貫設し、軸孔13の滑動座10上部縁と隣接する箇所を嵌合固設部132とし、軸孔13の滑動座10底縁と隣接する箇所を軸連結部134とし、その嵌合固設部132の内径は軸連結部134より大きいものとし、軸連結部134と嵌合固設部132の連結箇所には環状の位置制限面136を形成、その連結座32は嵌合固設部132の管状体に嵌設、連結座32底端に設けた複数の挿入部品322は軸方向に位置制限面136に貫入することにより、連結座32を定位しその回転を防止しており、中央軸31は軸孔13に嵌設、軸受け312及び軸受け314が連結座32及び軸連結部134とそれぞれ軸を中心に定設、中央軸31の各軸受け312、軸受け314間には中央偏向部316を形成、中央偏向部316外周には環状の位置移動部品35を繞設、中央軸31上端には挿入部品318とレバー33を軸を中心に定設、レバー33を動かすと連動される中央軸31は回転、連結座32上端面に凹設した環状の溝324内には一つのバネ34を嵌設、そのバネ34の一端は溝324底縁に、別の一端はレバー33に延伸挿入し、このバネ34の弾性によってレバー33が元の位置に戻るのを助ける。図５に示すとおり、レバー33底縁には円弧状の位置制限溝332を凹設、その位置制限溝332の円弧の中心は中央軸31の軸心としており、滑動座10に設けた制限桿14の上端は位置制限溝332に延伸し、その制限桿14によってレバー33の回転角度を制限する。
【００１５】
滑動座10の嵌合孔12と軸孔13間に穿設した横向きの空室15は、嵌合孔12及び軸孔13と垂直に繋がっており、空室15に内設した制動器50は、主に調節ネジ棒52及び制動体54により構成され、その制動体54の一端は支持面212に対応する為の傾斜した弧状の制動端542を形成、その制動体54には軸方向にネジ孔544を穿設、調節ネジ棒52の一端はそのネジ孔544に螺着され、もう一端は位置移動部品35外周側面に接触し、調節ネジ棒52を回転させて制動器50の軸方向長さを変化させることができる。
【００１６】
レバー33底端には栓孔334を凹設、滑動座10には軸孔16を穿設、その座管11は軸嵌合部112及び内設部114を含み、軸嵌合部112底端の内設部114外周には環状の接触面113を形成、内設部114は軸孔16に貫入、接触面113と滑動座10上部縁面とは相互に力を掛けて接触して座管11を定位させており、軸孔16底縁には埋込体162を嵌入、内設部114内部には定位栓17及び上部に力をかけるバネ18を嵌挿、その上部に力をかけるバネ18両端はそれぞれ埋込体162及び定位栓17に力をかけた状態になっている故、定位栓17は軸方向に上下運動する。座管11の内設部114の側面には側面方向の切口溝115を穿設、滑動座10に凹設した栓溝19は軸孔16側面に繋がっており、栓溝19はレバー33底部箇所に延伸しており、定位栓17は主に、内設部114に嵌入する軸柱172及び栓溝19に嵌入される挿入栓174により構成されており、軸柱172と挿入栓174は切口溝115に嵌合される連結部173と一体成形されており、これにより、栓孔334に嵌挿される挿入栓174はレバー33を圧止する故、レバー33が誤って回転してしまうのを有効的に防止、ガット挟み器80定位の確実性を高める。
【００１７】
図３及び図６に示すとおり、ストリングマシンのガット貼り作業を行うに当たり、ガット挟み器80は定位するまで移動、ガット挟み器80が上方向に上昇してガットを挟み込む場合、支軸82もこれに従って上昇、レバー33を動かして連動する中央軸31を回転させると、中央偏向部316は位置移動部品35を経て制動器50が軸方向に移動するのを制止、また、キャップ体21に対しても上向きに力をかける作用が働き、制止体22がレール体40に対して圧止作用を働かせることにより、滑動座10を定位する役割を果たす。この時、上部に力をかけるバネ18の弾力により、定位栓17は軸方向上向きに移動、挿入栓174が栓孔334に挿入すると、レバー33は確実に定位する。ガット貼り作業過程においてレバー33が作業人員もしくは工具に誤って接触したとしても、挿入栓174によってその定位は保たれ、滑動座10の定位が確実に保持される故、ガット挟み器80定位の確実性は有効的に向上する。図３及び図７に示すとおり、ガット貼り作業においてガット挟み器80の定位を調節したい場合は、ガット挟み器80のストリングマシンの挟み込み状態を解除した後、重力によって支軸82を下向きに移動させ、軸柱172を圧すると、定位栓17は下向きに移動し、挿入栓174は栓孔334を離れて、定位栓17がレバー33の制止作用を解除することにより、バネ34の弾力がレバー33、中央軸31を回転して元の位置に戻し、これにより、制止体22のレール体40に対する制止作用が解除されると、滑動座10は回転、位置移動することができるようになり、ガット挟み器80定位の調節をする目的が達成される。
【図面の簡単な説明】
【００１８】
【図１】従来のガット挟み器定位構造の断面図である。
【図２】本考案実施例の立体図である。
【図３】本考案実施例の立体分解図である。
【図４】本考案実施例の側面断面図である。
【図５】本考案実施例のレバー部分の径方向断面図である。
【図６】本考案実施例の制止定位状態の側面断面図である。
【図７】本考案実施例の定位解除状態の側面断面図である。
【符号の説明】
【００１９】
１        本体
１０１    錐形孔
１０２    レバー孔
１０３    嵌合管
１０４    滑動溝
２        錐形体
２０１    突出体
２０２    制止体
３        軸座
３０１    軸棒
３０２    中央偏向部
３０３    切口
４        レバー
４０１    バネ
５        滑動体
５０１    弛み防止ボルト
５０２    キャップ
５０３    傾斜面
９        レール
１０      滑動座
１１      座管
１１２    軸嵌合部
１１３    接触面
１１４    内設部
１１５    切口溝
１２      嵌合孔
１３      軸孔
１３２    嵌合固設部
１３４    軸連結部
１３６    位置制限面
１４      制限桿
１５      空室
１６      軸孔
１６２    埋込体
１７      定位栓
１７２    軸柱
１７３    連結部
１７４    挿入栓
１８      上部に力をかけるバネ
１９      栓溝
２０      定位器
２１      キャップ体
２１２    支軸面
２１４    嵌合体
２２      制止体
２２２    連結体
２３      調節ボルト
３０      制御器
３１      中央軸
３１２    軸受け
３１４    軸受け
３１６    中央偏向部
３１８    挿入部品
３２      連結座
３２２    挿入部品
３３４    栓孔
３４      バネ
３５      位置移動部品
４０      レール体
４２      引導溝
５０      制動器
５２      調節ネジ棒
５４      制動体
５４２    制動端
５４４    ネジ孔
８０      ガット挟み器
８２      支軸
【図１】
0003123792.tif 000003
【図２】
0003123792.tif 000004
【図３】
0003123792.tif 000005
【図４】
0003123792.tif 000006
【図５】
0003123792.tif 000007
【図６】
0003123792.tif 000008
【図７】
0003123792.tif 000009